(57)【特許請求の範囲】
【請求項１】
駆動力源と主駆動輪との間の動力伝達経路の一部を構成する回転部材に連結されて前記駆動力源の動力を副駆動輪に分配するトランスファと、前記トランスファにて分配された前記駆動力源の動力を前記副駆動輪へ伝達する駆動力伝達軸と、前記駆動力伝達軸の前記駆動力源側に設けられた、前記回転部材と前記駆動力伝達軸との間の動力伝達経路を断接する断接機構と、前記駆動力伝達軸と前記副駆動輪の左右両輪との間の各動力伝達経路に各々設けられた、伝達トルクを制御できる第１のクラッチ及び第２のクラッチとを備える四輪駆動車両において、前記断接機構と前記第１のクラッチ及び前記第２のクラッチとを解放する二輪駆動走行状態と、前記断接機構と前記第１のクラッチ及び前記第２のクラッチとを係合する四輪駆動走行状態とを、車両走行状態に応じて切り替える四輪駆動車両の制御装置であって、
前記二輪駆動走行状態から前記四輪駆動走行状態への移行に際して、操舵の状態に基づいて前記第１のクラッチ及び前記第２のクラッチの一方のみ或いは両方を係合に向けて制御し、その後、前記断接機構を係合に向けて制御するものであり、
操舵時には、前記断接機構を係合に向けて制御することに先立って、前記第１のクラッチ及び前記第２のクラッチのうちで、操舵に応じた旋回を実現する側のクラッチのみを係合に向けて制御することを特徴とする四輪駆動車両の制御装置。
【請求項２】
前記断接機構を係合に向けて制御した後、前記操舵の状態に基づいて前記第１のクラッチ及び前記第２のクラッチの両方に伝達トルクを発生させることを特徴とする請求項１に記載の四輪駆動車両の制御装置。
【請求項３】
前記断接機構を係合に向けて制御した後に、前記第１のクラッチ及び前記第２のクラッチの両方に発生させる伝達トルクは、操舵角に基づく予め定められた伝達トルク、或いは操舵角に基づく車両旋回目標へ車両挙動を近づけるように前記駆動力源の動力を前記副駆動輪へ伝達する伝達トルクであることを特徴とする請求項２に記載の四輪駆動車両の制御装置。
【請求項４】
前記断接機構は、ドグクラッチであることを特徴とする請求項１乃至３の何れか１項に記載の四輪駆動車両の制御装置。
【請求項５】
操舵時には、アンダーステア状態であるか或いはオーバーステア状態であるかを判断し、前記断接機構を係合に向けて制御することに先立って、前記第１のクラッチ及び前記第２のクラッチのうちで、前記判断されたアンダーステア状態或いはオーバーステア状態を抑制する側のクラッチのみを係合に向けて制御することを特徴とする請求項１乃至４の何れか１項に記載の四輪駆動車両の制御装置。
【請求項６】
操舵時でないときには、前記断接機構を係合に向けて制御することに先立って、前記第１のクラッチ及び前記第２のクラッチの両方を係合に向けて制御することを特徴とする請求項１乃至５の何れか１項に記載の四輪駆動車両の制御装置。
【発明の詳細な説明】
【技術分野】
【０００１】
本発明は、駆動力伝達軸の駆動力源側に設けられた断接機構と、副駆動輪の左右両輪への各動力伝達経路に各々設けられた左右のクラッチとを備える四輪駆動車両において、二輪駆動走行状態と四輪駆動走行状態とを切り替える制御装置に関するものである。
【背景技術】
【０００２】
二輪駆動走行(２ＷＤ走行)時に従動輪となる副駆動輪側へ四輪駆動走行(４ＷＤ走行)時に動力を伝達する駆動力伝達軸(例えばプロペラシャフト)の駆動力源側に設けられた断接機構と、前記副駆動輪の左右両輪への各動力伝達経路に各々設けられた、伝達トルクを制御できる左右のクラッチとを備える四輪駆動車両が良く知られている。例えば、特許文献１に記載された車両がそれである。このような四輪駆動車両では、主駆動輪のみに動力を伝達して走行する２ＷＤ走行中に、前記断接機構及び前記左右のクラッチを解放することで、前記断接機構と前記左右のクラッチとの間の動力伝達経路の一部を構成する回転要素(例えば駆動力伝達軸等)を回転停止させることができる。このようにした場合、２ＷＤ走行中に前記断接機構及び前記左右のクラッチの何れか一方のみを解放する場合と比べて、燃費を向上させることができる。
【先行技術文献】
【特許文献】
【０００３】
【特許文献１】ＵＳ ８,３１３,４０７ Ｂ２
【発明の概要】
【発明が解決しようとする課題】
【０００４】
ところで、特許文献１には、前記断接機構及び前記左右のクラッチが解放された２ＷＤ走行状態(以下、２ＷＤ_d走行状態という)と、前記断接機構及び前記左右のクラッチが係合された４ＷＤ走行状態とを切り替えることについては記載されているが、２ＷＤ_d走行状態から４ＷＤ走行状態へ移行するときの具体的な制御手順については記載されていない。これに対して、上述したような四輪駆動車両において、２ＷＤ_d走行状態から４ＷＤ走行状態へ移行する際には、前記左右のクラッチを略同時に係合し、回転停止中の駆動力伝達軸の回転速度を引き上げて前記断接機構の駆動力源側の回転速度と略同期させた後に、その断接機構を係合することが考えられる。しかしながら、２ＷＤ_d走行状態から４ＷＤ走行状態への移行に際して、操舵時である場合、上述した移行の制御手順のように前記左右のクラッチを略同時に係合すると、曲がり難くなる可能性がある。一方で、前記左右のクラッチを略同時に係合するのではなく、任意に一方のクラッチを先に係合すると、アンダーステア或いはオーバーステアを助長する可能性がある。尚、上述したような課題は未公知であり、操舵時に２ＷＤ_d走行状態から４ＷＤ走行状態への移行するときの具体的な制御手順について未だ提案されていない。
【０００５】
本発明は、以上の事情を背景として為されたものであり、その目的とするところは、２ＷＤ_d走行状態から４ＷＤ走行状態への移行に際して、操舵に応じたヨーモーメントを発生させることができる四輪駆動車両の制御装置を提供することにある。
【課題を解決するための手段】
【０００６】
前記目的を達成する為の第１の発明の要旨とするところは、(a) 駆動力源と主駆動輪との間の動力伝達経路の一部を構成する回転部材に連結されて前記駆動力源の動力を副駆動輪に分配するトランスファと、前記トランスファにて分配された前記駆動力源の動力を前記副駆動輪へ伝達する駆動力伝達軸と、前記駆動力伝達軸の前記駆動力源側に設けられた、前記回転部材と前記駆動力伝達軸との間の動力伝達経路を断接する断接機構と、前記駆動力伝達軸と前記副駆動輪の左右両輪との間の各動力伝達経路に各々設けられた、伝達トルクを制御できる第１のクラッチ及び第２のクラッチとを備える四輪駆動車両において、前記断接機構と前記第１のクラッチ及び前記第２のクラッチとを解放する二輪駆動走行状態と、前記断接機構と前記第１のクラッチ及び前記第２のクラッチとを係合する四輪駆動走行状態とを、車両走行状態に応じて切り替える四輪駆動車両の制御装置であって、(b) 前記二輪駆動走行状態から前記四輪駆動走行状態への移行に際して、(c) 操舵の状態に基づいて前記第１のクラッチ及び前記第２のクラッチの一方のみ或いは両方を係合に向けて制御し、(d) その後、前記断接機構を係合に向けて制御するものであり、(e) 操舵時には、前記断接機構を係合に向けて制御することに先立って、前記第１のクラッチ及び前記第２のクラッチのうちで、操舵に応じた旋回を実現する側のクラッチのみを係合に向けて制御することにある。
【発明の効果】
【０００７】
このようにすれば、先ず、第１のクラッチ及び第２のクラッチの一方のクラッチのみ或いは両方のクラッチが係合に向けて制御されるので、断接機構の駆動力伝達軸側の回転速度が断接機構の駆動力源側の回転速度に向けて上昇するように、回転停止中の駆動力伝達軸の回転速度を引き上げることができる。従って、断接機構自身の差回転速度が低減され、断接機構を速やかに係合することができる。又、特に、操舵時には、断接機構を係合に向けて制御することに先立って、第１のクラッチ及び第２のクラッチのうちで、操舵に応じた旋回を実現する側のクラッチのみを係合に向けて制御することで、一律に両方のクラッチを係合することと比較して、旋回が妨げ難くされる。断接機構が未だ係合されていない状態で一方のクラッチのみが係合に向けて制御されると、停止している駆動力伝達軸の回転速度を引き上げることに伴ってその一方のクラッチが係合される側の副駆動輪において制動力が作用させられる。これにより、ヨーモーメントを発生させることができる。よって、２ＷＤ_d走行状態から４ＷＤ走行状態への移行に際して、操舵に応じたヨーモーメントを発生させることができる。
【０００８】
ここで、第２の発明は、前記第１の発明に記載の四輪駆動車両の制御装置において、前記断接機構を係合に向けて制御した後、前記操舵の状態に基づいて前記第１のクラッチ及び前記第２のクラッチの両方に伝達トルクを発生させることにある。このようにすれば、断接機構の係合後には、操舵の状態に基づいて第１のクラッチ及び第２のクラッチの両方のクラッチの伝達トルクが制御されるので、各駆動輪には適切な駆動力が発生させられる。特に、操舵時には、副駆動輪の各々において発生させられる各駆動力によってヨーモーメントを発生させることができる。よって、２ＷＤ_d走行状態から４ＷＤ走行状態への移行に際して、操舵に応じたヨーモーメントを発生させることができる。
【０００９】
また、第３の発明は、前記第２の発明に記載の四輪駆動車両の制御装置において、前記断接機構を係合に向けて制御した後に、前記第１のクラッチ及び前記第２のクラッチの両方に発生させる伝達トルクは、操舵角に基づく予め定められた伝達トルク、或いは操舵角に基づく車両旋回目標へ車両挙動を近づけるように前記駆動力源の動力を前記副駆動輪へ伝達する伝達トルクである。このようにすれば、断接機構の係合後には、操舵角が略零となる操舵中でないときを含め、各駆動輪に適切な駆動力が発生させられる。特に、操舵時には、副駆動輪の各々において発生させる各駆動力によって操舵角に応じたヨーモーメントを発生させることができる。
【００１０】
また、第４の発明は、前記第１の発明乃至第３の発明の何れか１つに記載の四輪駆動車両の制御装置において、前記断接機構は、ドグクラッチである。このようにすれば、第１のクラッチ及び第２のクラッチの一方のクラッチのみ或いは両方のクラッチを係合に向けて制御することで、停止している駆動力伝達軸の回転速度を引き上げた後に、断接機構を係合するという制御手順が有用となる。つまり、上記の制御手順によって、断接機構における差回転速度が抑制された状態で断接機構を係合することができる。
【００１２】
また、第５の発明は、前記第１の発明乃至第４の発明の何れか１つに記載の四輪駆動車両の制御装置において、操舵時には、アンダーステア状態であるか或いはオーバーステア状態であるかを判断し、前記断接機構を係合に向けて制御することに先立って、前記第１のクラッチ及び前記第２のクラッチのうちで、前記判断されたアンダーステア状態或いはオーバーステア状態を抑制する側のクラッチのみを係合に向けて制御することにある。このようにすれば、操舵時には、旋回が妨げ難くされる。又、一方のクラッチが係合される側の副駆動輪において制動力が作用させられて、発生しているアンダーステア或いはオーバーステアを抑制するヨーモーメントを発生させることができる。
【００１３】
また、第６の発明は、前記第１の発明乃至第５の発明の何れか１つに記載の四輪駆動車両の制御装置において、操舵時でないときには、前記断接機構を係合に向けて制御することに先立って、前記第１のクラッチ及び前記第２のクラッチの両方を係合に向けて制御することにある。このようにすれば、回転停止中の駆動力伝達軸の回転速度を引き上げることができ、断接機構における差回転速度が抑制された状態で断接機構を係合することができる。
【図面の簡単な説明】
【００１４】
【図１】本発明が適用される四輪駆動車両の概略構成を説明する骨子図であると共に、車両における制御系統の要部を説明する図である。
【図２】電子制御装置の制御機能の要部を説明する機能ブロック線図である。
【図３】電子制御装置の制御作動の要部すなわち２ＷＤ_d走行状態から４ＷＤ走行状態への移行に際して操舵に応じたヨーモーメントを発生させる為の制御作動を説明するフローチャートである。
【図４】図３のフローチャートに示す制御作動を実行した場合のタイムチャートの一例である。
【発明を実施するための形態】
【００１５】
本発明において、好適には、前記四輪駆動車両は、前記駆動力源と前記主駆動輪との間の動力伝達経路の一部を構成する変速機を備えている。この変速機は、常時噛み合う複数対の変速ギヤを２軸間に備える公知の同期噛合型平行２軸式変速機などの手動変速機、種々の自動変速機（遊星歯車式自動変速機、同期噛合型平行２軸式自動変速機、ＤＣＴ、ＣＶＴ等）などである。この自動変速機は、自動変速機単体、流体式伝動装置を有する自動変速機、或いは副変速機を有する自動変速機などにより構成される。前記トランスファは、この変速機の出力側回転部材に動力伝達可能に連結される。
【００１６】
また、好適には、前記四輪駆動車両は、前記駆動力伝達軸と前記クラッチとの間の動力伝達経路を断接する第２の断接機構を備えている。前記トランスファに設けられた前記断接機構、及び前記第２の断接機構は、二輪駆動走行中に作動させられることよって四輪駆動走行中に前記副駆動輪へ動力を伝達する所定の回転要素を回転停止させるディスコネクト機構である。前記所定の回転要素は、前記駆動力源から前記副駆動輪の間の動力伝達経路を構成する回転要素のうち、前記２つのディスコネクト機構で挟まれている回転要素が対応する。又、前記ディスコネクト機構が作動することで前記所定の回転要素が回転停止する状態は、前記ディスコネクト機構のディスコネクト状態である。尚、前記第２の断接機構が係合されていても、前記断接機構及び前記クラッチが解放されていれば、前記ディスコネクト状態と同様の状態を作り出すことができる。つまり、前記クラッチは、前記ディスコネクト機構の１つとして機能させられる。従って、前記四輪駆動車両は、前記第２の断接機構を備えなくても、２ＷＤ走行においてディスコネクト状態を成立させられる。
【００１７】
また、好適には、前記駆動力源は、例えば燃料の燃焼によって動力を発生する内燃機関等のガソリンエンジンやディーゼルエンジン等が好適に用いられるが、電動機等の他の原動機を単独で或いはエンジンと組み合わせて採用することもできる。
【００１８】
以下、本発明の実施例を図面を参照して詳細に説明する。
【実施例】
【００１９】
図１は、本発明が適用される四輪駆動車両１０(以下、車両１０という)の概略構成を説明する骨子図であると共に、車両１０における各種制御の為の制御系統の要部を説明する図である。図１において、車両１０は、エンジン１２、左右の前輪１４Ｌ，１４Ｒ(以下、特に区別しない場合には前輪１４という)、左右の後輪１６Ｌ，１６Ｒ(以下、特に区別しない場合には後輪１６という)、エンジン１２と前輪１４との間の動力伝達経路であるエンジン１２の動力を前輪１４に伝達する第１の動力伝達経路、エンジン１２と後輪１６との間の動力伝達経路であるエンジン１２の動力を後輪１６に伝達する第２の動力伝達経路などを備えている。
【００２０】
エンジン１２は、例えばガソリンエンジン或いはディーゼルエンジン等の内燃機関であって、駆動力を発生する駆動力源である。前輪１４は、二輪駆動走行状態(２ＷＤ走行状態)及び四輪駆動走行状態(４ＷＤ走行状態)のときに共に駆動輪となる主駆動輪である。後輪１６は、２ＷＤ走行状態のときに従動輪となり且つ４ＷＤ走行状態のときに前記第２の動力伝達経路を介してエンジン１２から動力が伝達される駆動輪となる副駆動輪である。従って、車両１０は、ＦＦベースの四輪駆動車両である。
【００２１】
前記第１の動力伝達経路は、変速機１８、フロントデフ２０、左右の前輪車軸２２Ｌ，２２Ｒ(以下、特に区別しない場合には前輪車軸２２という)などを備えている。前記第２の動力伝達経路は、変速機１８、エンジン１２の動力を後輪１６に分配する前後輪動力分配装置であるトランスファ２４、ドリブンピニオン２６、トランスファ２４にて分配されたエンジン１２の動力を後輪１６へ伝達する駆動力伝達軸であるプロペラシャフト２８、ドライブピニオン３０、リヤ側クラッチ３２、左右駆動力配分装置３４、左右の後輪車軸３６Ｌ，３６Ｒ(以下、特に区別しない場合には後輪車軸３６という)などを備えている。
【００２２】
変速機１８は、エンジン１２と前輪１４との間の前記第１の動力伝達経路及びエンジン１２と後輪１６との間の前記第２の動力伝達経路のうちの共通する動力伝達経路の一部を構成し、エンジン１２の動力を前輪１４側や後輪１６側へ伝達する。変速機１８は、例えば変速比γ(＝変速機入力回転速度Ｎin／変速機出力回転速度Ｎout)が異なる複数の変速段が選択的に成立させられる公知の遊星歯車式多段変速機、変速比γが無段階に連続的に変化させられる公知の無段変速機、或いは公知の同期噛合型平行２軸式変速機などである。
【００２３】
フロントデフ２０は、ケース２０ｃと、傘歯歯車からなる差動機構２０ｄとを含んで構成されており、左右の前輪車軸２２Ｌ，２２Ｒに適宜差回転を与えつつ回転を伝達する公知のディファレンシャルギヤである。ケース２０ｃにはリングギヤ２０ｒが形成されており、そのリングギヤ２０ｒは変速機１８の出力回転部材である出力歯車１８ａと噛み合っている。従って、変速機１８から出力される動力はリングギヤ２０ｒに入力される。又、ケース２０ｃには、後述する外周嵌合歯４６と嵌合する内周嵌合歯３８が形成されている。
【００２４】
トランスファ２４は、前記第１の動力伝達経路の一部を構成する回転部材としてのフロントデフ２０と並んで設けられて、そのフロントデフ２０に連結されている。トランスファ２４は、第１回転部材４０と、第２回転部材４２と、フロント側クラッチ４４とを含んで構成されている。
【００２５】
第１回転部材４０は、略円筒形状を有しており、その内周側を前輪車軸２２Ｒが貫通している。第１回転部材４０の軸方向の一方には、外周嵌合歯４６が形成されている。第１回転部材４０は、外周嵌合歯４６が内周嵌合歯３８と嵌合されることで、フロントデフ２０のケース２０ｃと一体的に回転する。又、第１回転部材４０の軸方向の他方には、フロント側クラッチ４４の一部を構成するクラッチ歯４８が形成されている。
【００２６】
第２回転部材４２は、略円筒形状を有しており、その内周側を前輪車軸２２Ｒ及び第１回転部材４０が貫通している。第２回転部材４２の軸方向の一方には、後輪１６側にエンジン１２の動力を伝達する為の、ドリブンピニオン２６と噛み合うリングギヤ４２ｒが形成されている。又、第２回転部材４２の軸方向の他方には、フロント側クラッチ４４の一部を構成するクラッチ歯５０が形成されている。リングギヤ４２ｒと噛み合うドリブンピニオン２６は、プロペラシャフト２８に接続され、更に、プロペラシャフト２８を介してドライブピニオン３０に接続されている。
【００２７】
フロント側クラッチ４４は、第１回転部材４０と第２回転部材４２との間を選択的に断接するクラッチである。フロント側クラッチ４４は、クラッチ歯４８とクラッチ歯５０とスリーブ５２と保持部材５４とフロント側アクチュエータ５６とを含んで構成される、ドグクラッチ(すなわち噛合式クラッチ)である。スリーブ５２は、略円筒形状を有しており、スリーブ５２の内周側には、クラッチ歯４８及びクラッチ歯５０と噛合可能な内周歯５８が形成されている。スリーブ５２は、例えば電気的(電磁的)に制御可能なフロント側アクチュエータ５６によって軸方向に移動させられる。尚、フロント側クラッチ４４において、更に、同期機構が備えられていても構わない。
【００２８】
図１は、フロント側クラッチ４４が解放された状態を示している。この状態では、第１回転部材４０と第２回転部材４２との接続が遮断されているので、後輪１６にはエンジン１２の動力が伝達されない。一方、スリーブ５２が移動させられてクラッチ歯４８及びクラッチ歯５０が共に内周歯５８と噛み合うと、フロント側クラッチ４４が係合され、第１回転部材４０と第２回転部材４２とが接続される。従って、第１回転部材４０が回転すると、第２回転部材４２、ドリブンピニオン２６、プロペラシャフト２８、及びドライブピニオン３０が連れ回される。このように、フロント側クラッチ４４は、プロペラシャフト２８のエンジン１２側に設けられた、フロントデフ２０とプロペラシャフト２８との間の動力伝達経路を断接する断接機構である。
【００２９】
左右駆動力配分装置３４は、リヤ側クラッチ３２と後輪１６との間に設けられ、リヤ側クラッチ３２と後輪１６との間でトルク伝達を行うと共に、左右の後輪１６Ｌ，１６Ｒの駆動力配分を変更する。左右駆動力配分装置３４は、入力ギヤ６０と、後輪１６Ｌ側に設けられている第１カップリング６２と、後輪１６Ｒ側に設けられている第２カップリング６４とを、含んで構成されている。入力ギヤ６０は、第１カップリング６２及び第２カップリング６４へエンジン１２の動力を伝達する共通の入力回転部材である。入力ギヤ６０の外周には、リヤ側クラッチ３２の一部を構成するクラッチ歯６６が形成されている。第１カップリング６２は、入力ギヤ６０と後輪１６Ｌとの間に設けられ、例えば湿式多板クラッチで構成される公知の電子制御カップリングである。第１カップリング６２の伝達トルク(クラッチトルク)が制御されることで、後輪１６Ｌに伝達される駆動力が制御される。具体的には、第１カップリング６２の伝達トルクを制御する不図示の電磁ソレノイドに電流が供給されると、その電流値に比例した係合力で第１カップリング６２が係合される。第１カップリング６２の伝達トルクが増加するに従って後輪１６Ｌに伝達される駆動力が増加する。第２カップリング６４は、入力ギヤ６０と後輪１６Ｒとの間に設けられ、例えば湿式多板クラッチで構成される公知の電子制御カップリングである。第２カップリング６４の伝達トルクが制御されることで、後輪１６Ｒに伝達される駆動力が制御される。具体的には、第２カップリング６４の伝達トルクを制御する不図示の電磁ソレノイドに電流が供給されると、その電流値に比例した係合力で第２カップリング６４が係合される。第２カップリング６４の伝達トルクが増加するに従って後輪１６Ｒに伝達される駆動力が増加する。左右駆動力配分装置３４は、第１カップリング６２の伝達トルク及び第２カップリング６４の伝達トルクを制御することで、左右の後輪１６Ｌ，１６Ｒのトルク配分を例えば０：１００〜１００：０の間で連続的に変更することができる。又、左右駆動力配分装置３４は、第１カップリング６２の伝達トルク及び第２カップリング６４の伝達トルクを制御することで、前輪１４と後輪１６とのトルク配分を例えば１００：０〜５０：５０の間で連続的に変更することができる。このように、第１カップリング６２及び第２カップリング６４は、プロペラシャフト２８と左右の後輪１６Ｌ，１６Ｒとの間の各動力伝達経路に各々設けられた、伝達トルクを制御できる第１のクラッチ及び第２のクラッチである。
【００３０】
車両１０は、更に、ドライブピニオン３０とリヤ側クラッチ３２との間に、動力伝達部材６８を備えている。動力伝達部材６８は、略円筒形状を有しており、その内周側を入力ギヤ６０が配設される軸が貫通している。動力伝達部材６８の軸方向の一方には、前輪１４側から伝達されるエンジン１２の動力を受け入れる為の、ドライブピニオン３０と噛み合うリングギヤ６８ｒが形成されている。又、動力伝達部材６８の軸方向の他方には、リヤ側クラッチ３２の一部を構成するクラッチ歯７０が形成されている。
【００３１】
リヤ側クラッチ３２は、動力伝達部材６８と入力ギヤ６０との間に設けられ、これらの間の動力伝達経路を選択的に断接するクラッチである。リヤ側クラッチ３２は、クラッチ歯６６とクラッチ歯７０とスリーブ７２と保持部材７４とリヤ側アクチュエータ７６とを含んで構成される、ドグクラッチである。スリーブ７２は、略円筒形状を有しており、スリーブ７２の内周側には、クラッチ歯６６及びクラッチ歯７０と噛合可能な内周歯７８が形成されている。スリーブ７２は、例えば電気的(電磁的)に制御可能なリヤ側アクチュエータ７６によって軸方向に移動させられる。尚、リヤ側クラッチ３２において、更に、同期機構が備えられていても構わない。
【００３２】
図１は、リヤ側クラッチ３２が解放された状態を示している。この状態のように、内周歯７８がクラッチ歯６６及びクラッチ歯７０と噛み合わない状態では、動力伝達部材６８と入力ギヤ６０との接続が遮断されるので、ドライブピニオン３０と左右駆動力配分装置３４との間の動力伝達経路が遮断され、左右駆動力配分装置３４にはエンジン１２の動力が伝達されない。一方、スリーブ７２が移動させられてクラッチ歯６６及びクラッチ歯７０が共に内周歯７８と噛み合うと、リヤ側クラッチ３２が係合され、動力伝達部材６８と入力ギヤ６０とが接続される。従って、ドライブピニオン３０にエンジン１２の動力が伝達されると、左右駆動力配分装置３４に動力が伝達される。このように、リヤ側クラッチ３２は、プロペラシャフト２８の後輪１６側に設けられた、エンジン１２と後輪１６との間の動力伝達経路(特には、プロペラシャフト２８と左右駆動力配分装置３４との間の動力伝達経路)を断接する第２の断接機構である。
【００３３】
前述のように構成された車両１０では、例えばフロント側クラッチ４４及びリヤ側クラッチ３２が共に係合されると共に、第１カップリング６２及び／又は第２カップリング６４の伝達トルクが零よりも大きな値に制御されると、後輪１６にも第１カップリング６２及び／又は第２カップリング６４の伝達トルクに応じた駆動力が伝達される。従って、前輪１４及び後輪１６共に動力が伝達されて４ＷＤ走行状態となる。この４ＷＤ走行状態においては、第１カップリング６２及び／又は第２カップリング６４の伝達トルクが制御されることで、前輪１４と後輪１６とのトルク配分、及び左右の後輪１６Ｌ，１６Ｒのトルク配分が必要に応じて調整される。
【００３４】
又、車両１０では、例えばフロント側クラッチ４４が解放されると、第１回転部材４０と第２回転部材４２との連結が遮断される為、後輪１６には動力が伝達されない。従って、前輪１４のみが駆動する２ＷＤ走行状態となる。加えて、例えばリヤ側クラッチ３２が解放されると、動力伝達部材６８と左右駆動力配分装置３４との連結が遮断される為、２ＷＤ走行中において、第２回転部材４２から動力伝達部材６８までの動力伝達経路を構成する各回転要素(第２回転部材４２、ドリブンピニオン２６、プロペラシャフト２８、ドライブピニオン３０、動力伝達部材６８等)には、エンジン１２側からも後輪１６側からも回転が伝達されない。従って、２ＷＤ走行中において、これらの各回転要素が回転停止し、前記各回転要素の連れ回りが防止され、走行抵抗が低減される。フロント側クラッチ４４及びリヤ側クラッチ３２は、２ＷＤ走行中に解放させられることよって、４ＷＤ走行中に後輪１６へ動力を伝達する所定の回転要素を回転停止させるディスコネクト機構である。この所定の回転要素は、エンジン１２と後輪１６との間の動力伝達経路を構成する回転要素のうち、フロント側クラッチ４４とリヤ側クラッチ３２とで挟まれている回転要素(すなわち第２回転部材４２から動力伝達部材６８までの動力伝達経路を構成する各回転要素)である。又、フロント側クラッチ４４及びリヤ側クラッチ３２が解放されて前記各回転要素が回転停止する走行状態(すなわち、連れ回りが防止される２ＷＤ走行状態)は、前記所定の回転要素が回転停止するディスコネクト状態である。このディスコネクト状態での２ＷＤ走行を２ＷＤ_d走行と記載する。尚、この２ＷＤ_d走行では、第１カップリング６２及び第２カップリング６４も共に解放される。その為、リヤ側クラッチ３２が係合されていても、フロント側クラッチ４４と第１カップリング６２及び第２カップリング６４とが解放されていれば、前記ディスコネクト状態と同様の状態を作り出すことができる。
【００３５】
又、車両１０では、フロント側クラッチ４４及びリヤ側クラッチ３２が係合される一方で、第１カップリング６２及び第２カップリング６４の接続が共に遮断されると、入力ギヤ６０と後輪１６との連結が遮断される為、後輪１６に動力は伝達されない。従って、前輪１４のみが駆動する２ＷＤ走行状態となる。このような２ＷＤ走行状態では、フロント側クラッチ４４及びリヤ側クラッチ３２は接続されている為、第２回転部材４２から入力ギヤ６０までの動力伝達経路を構成する各回転要素(第２回転部材４２、ドリブンピニオン２６、プロペラシャフト２８、ドライブピニオン３０、動力伝達部材６８、入力ギヤ６０等)が連れ回される。その為、２ＷＤ走行状態であるもののプロペラシャフト２８等が連れ回される分だけ燃費が低下する。しかしながら、２ＷＤ走行状態から４ＷＤ走行状態へ切り替える際には、第１カップリング６２及び／又は第２カップリング６４を接続するだけで済み、速やかな切替えが可能となる。
【００３６】
車両１０は、フロント側クラッチ４４及びリヤ側クラッチ３２の断接状態、乃至第１カップリング６２及び／又は第２カップリング６４の伝達トルクが車両走行状態に応じて制御されることで、２ＷＤ走行状態(２ＷＤ_d走行状態を含む)と４ＷＤ走行状態との間で切り替えられる。
【００３７】
車両１０には、例えば第１カップリング６２及び第２カップリング６４の各伝達トルクを制御する車両１０の制御装置を含む電子制御装置(ＥＣＵ)１００が備えられている。電子制御装置１００は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。例えば、電子制御装置１００は、エンジン１２の出力制御、車両１０の駆動状態の切替制御等を実行するようになっており、必要に応じてエンジン制御用や駆動状態制御用等に分けて構成される。電子制御装置１００には、図１に示すように、各種センサ(例えば各種回転速度センサ８０，８２，８４，８６，８８、アクセル開度センサ９０、スロットル弁開度センサ９２、Ｇセンサ９４、ヨーレートセンサ９６、ステアリングセンサ９８など)による検出信号に基づく各種実際値(例えばエンジン回転速度Ｎe、変速機入力回転速度Ｎin、変速機出力回転速度Ｎout、プロペラシャフト回転速度Ｎp、各車輪(すなわち前輪１４Ｌ，１４Ｒ、及び後輪１６Ｌ，１６Ｒ)の回転速度(各車輪速)Ｎwに対応する各車輪速Ｎwfl，Ｎwfr，Ｎwrl，Ｎwrr、アクセル開度θacc、スロットル弁開度θth、車両１０の前後加速度Ｇx、車両１０の左右加速度Ｇy、車両１０の鉛直軸まわりの回転角速度であるヨーレートＲyaw、ステアリングホイール９９の操舵角θsw及び操舵方向など)が、それぞれ供給される。電子制御装置１００からは、図１に示すように、例えばエンジン１２の出力制御の為のエンジン出力制御指令信号Ｓe、フロント側クラッチ４４やリヤ側クラッチ３２の状態を各々切り替える為の作動指令信号Ｓd、第１カップリング６２や第２カップリング６４のクラッチトルクを制御する為のトルク指令信号Ｓcなどが、燃料噴射装置、点火装置、スロットルアクチュエータ等のエンジン制御装置、フロント側アクチュエータ５６やリヤ側アクチュエータ７６、第１カップリング６２や第２カップリング６４を各々駆動する各アクチュエータなどへそれぞれ出力される。尚、電子制御装置１００は、各車輪速Ｎwに基づいて、各種実際値の１つとして、車両１０の速度Ｖ(以下、車速Ｖという)を算出する。電子制御装置１００は、例えば各車輪速Ｎwの平均車輪速を車速Ｖとする。
【００３８】
図２は、電子制御装置１００による制御機能の要部を説明する機能ブロック線図である。図２において、電子制御装置１００は、車両走行状態判定手段すなわち車両走行状態判定部１０２、４ＷＤ駆動力演算手段すなわち４ＷＤ駆動力演算部１０４、及びアクチュエータ出力指示手段すなわちアクチュエータ出力指示部１０６を備えている。
【００３９】
車両走行状態判定部１０２は、前記各種信号等の情報に基づいて車両１０の最適な駆動状態(走行状態)を判断する。具体的には、車両走行状態判定部１０２は、アクセル開度θacc及び車速Ｖ等に基づいて、車両１０の駆動力変化が予め実験的に或いは設計的に求められて記憶された(すなわち予め定められた)駆動力変化閾値よりも小さい定常走行状態にあると判断した場合には、車両１０の走行状態を、フロント側クラッチ４４及びリヤ側クラッチ３２と第１カップリング６２及び第２カップリング６４とを解放して走行する２ＷＤ_d走行とするよう判定する。一方で、車両走行状態判定部１０２は、駆動力変化が前記駆動力変化閾値を超えていると判断した場合には、車両１０の走行状態を、フロント側クラッチ４４及びリヤ側クラッチ３２を係合し且つ第１カップリング６２及び第２カップリング６４を係合乃至スリップ係合して走行する４ＷＤ走行とするよう判定する。又、車両走行状態判定部１０２は、操舵角θsw、左右加速度Ｇy、及びヨーレートＲyawの各絶対値が各々の旋回判定閾値θswth、Ｇyth、Ｒyawth以上となっているか否かに基づいて車両１０が旋回中であるか否かを判断し、車両１０が旋回中でないと判断した場合には、車両１０の走行状態を、２ＷＤ_d走行とするよう判定する。又、車両走行状態判定部１０２は、各車輪速Ｎw或いは不図示のナビゲーションシステムからの情報等に基づいて路面が雪道などの低μ路であると判断した場合には、車両１０の走行状態を、４ＷＤ走行とするよう判定する。又、車両走行状態判定部１０２は、各車輪速Ｎwに基づいて、各車輪間における回転速度差の何れかが所定回転差を超えたと判断した場合には、車両１０の走行状態を、４ＷＤ走行とするよう判定する。前記旋回判定閾値θswth、Ｇyth、Ｒyawthは、例えば車両１０が旋回中であることを判断する為の予め定められた判定値である。又、前記旋回判定閾値θswth、Ｇyth、Ｒyawthは、例えば一定値が予め定められても良いし、車速Ｖ等に基づいて変化する値として予め定められても良い。前記所定回転差は、例えば車両１０の駆動状態を４ＷＤ走行状態とした方が良いことを判断する為の予め定められた４ＷＤ判定閾値である。又、前記所定回転差は、各車輪間において同じ値が予め定められても良いし、各車輪間毎に異なる値が予め定められても良い。尚、例えば運転者によって操作される公知の２ＷＤ／４ＷＤ切替スイッチが車両１０に備えられている場合には、車両走行状態判定部１０２は、例えばその２ＷＤ／４ＷＤ切替スイッチの操作状態に基づいて、２ＷＤ走行とするか、４ＷＤ走行とするかを判定しても良い。
【００４０】
４ＷＤ駆動力演算部１０４は、前記各種信号等の情報に基づいて最適な前後輪の駆動力配分を算出する。具体的には、４ＷＤ駆動力演算部１０４は、エンジン回転速度Ｎe及びスロットル弁開度θth等に基づいてエンジントルクＴeの推定値(推定エンジントルク)Ｔepを算出し、最大限の加速性能が確保されるように前後輪の駆動力配分を算出する。又、４ＷＤ駆動力演算部１０４は、スロットル弁開度θth、車速Ｖ、各車輪速Ｎwなどに基づいて、運転者の操作状況や車両１０の駆動力変化が安定していると判定した場合には、後輪１６への駆動力配分を低下させて、前輪駆動に近い状況にして燃費を向上させる。又、４ＷＤ駆動力演算部１０４は、低速での旋回時においてタイトブレーキング現象を防止する為、後輪１６への駆動力配分を低下させる。尚、４ＷＤ駆動力演算部１０４は、車両走行状態判定部１０２により２ＷＤ_d走行状態とするよう判定された場合には、後輪１６への駆動力配分を零とする。
【００４１】
アクチュエータ出力指示部１０６は、車両走行状態判定部１０２により判断された走行状態、及び４ＷＤ駆動力演算部１０４により算出された前後輪の駆動力配分となるように、フロント側クラッチ４４の断接状態を切り替えるフロント側アクチュエータ５６、リヤ側クラッチ３２の断接状態を切り替えるリヤ側アクチュエータ７６、第１カップリング６２の伝達トルクを制御する不図示の電磁ソレノイド、及び第２カップリング６４の伝達トルクを制御する不図示の電磁ソレノイドに、各指令信号を出力する。具体的には、アクチュエータ出力指示部１０６は、車両走行状態判定部１０２により２ＷＤ_d走行状態とするよう判定された場合には、フロント側クラッチ４４及びリヤ側クラッチ３２を解放すると共に第１カップリング６２及び第２カップリング６４の伝達トルクを零とする指令を、フロント側アクチュエータ５６、リヤ側アクチュエータ７６、及び上記各電磁ソレノイドにそれぞれ出力する。アクチュエータ出力指示部１０６は、車両走行状態判定部１０２により４ＷＤ走行状態とするよう判定された場合には、４ＷＤ駆動力演算部１０４により算出された前後輪の駆動力配分での４ＷＤ走行となるように、フロント側クラッチ４４及びリヤ側クラッチ３２を接続すると共に第１カップリング６２及び第２カップリング６４の伝達トルクを制御する指令を、フロント側アクチュエータ５６、リヤ側アクチュエータ７６、及び上記各電磁ソレノイドにそれぞれ出力する。
【００４２】
特に、２ＷＤ_d走行状態から４ＷＤ走行状態への移行に際して、先ず、アクチュエータ出力指示部１０６は、リヤ側クラッチ３２を接続する指令をリヤ側アクチュエータ７６に出力する。これは、動力伝達部材６８及び入力ギヤ６０が回転停止している状態、すなわち動力伝達部材６８の回転速度と入力ギヤ６０の回転速度とが略同期している状態で、リヤ側クラッチ３２を接続する為である。その後、アクチュエータ出力指示部１０６は、第１カップリング６２及び第２カップリング６４に伝達トルクを略同時に発生させる指令を上記各電磁ソレノイドにそれぞれ出力して、第１カップリング６２及び第２カップリング６４の両方のカップリングを係合に向けて制御する。これは、フロント側クラッチ４４を接続する為に、回転停止中のプロペラシャフト２８の回転速度を引き上げて第１回転部材４０の回転速度と第２回転部材４２の回転速度との同期を図る為である。車両走行状態判定部１０２により第１回転部材４０の回転速度と第２回転部材４２の回転速度とが略同期したと判定された後、アクチュエータ出力指示部１０６は、フロント側クラッチ４４を接続する指令をフロント側アクチュエータ５６に出力する。その後、アクチュエータ出力指示部１０６は、４ＷＤ駆動力演算部１０４により算出された前後輪の駆動力配分となるように、第１カップリング６２及び第２カップリング６４に伝達トルクを発生させる指令を上記各電磁ソレノイドにそれぞれ出力する。車両走行状態判定部１０２は、例えば第１回転部材４０の回転速度と第２回転部材４２の回転速度との回転速度差の絶対値が同期判定閾値ΔＮth以下となったか否かに基づいて、第１回転部材４０の回転速度と第２回転部材４２の回転速度とが略同期したか否かを判定する。尚、第１回転部材４０の回転速度及び第２回転部材４２の回転速度は、不図示の回転速度センサによって直接的に検出された各回転速度であっても良いし、各々対応する変速機出力回転速度Ｎout及びプロペラシャフト回転速度Ｎpから換算された各回転速度であっても良い。又、前記同期判定閾値ΔＮthは、例えばフロント側クラッチ４４の接続(係合)が可能である回転速度差の最大値として予め定められた同期可能最大回転速度差である。上述した、２ＷＤ_d走行状態から４ＷＤ走行状態へ移行するときの一連の制御手順は、通常の４ＷＤ移行制御手順である。
【００４３】
ところで、２ＷＤ_d走行状態から４ＷＤ走行状態への移行に際して、ステアリングホイール９９の操舵時である場合、上述した通常の４ＷＤ移行制御手順のように第１カップリング６２及び第２カップリング６４に伝達トルクを略同時に発生させると、曲がり難くなる可能性がある。或いは、第１カップリング６２及び第２カップリング６４の一方のみから伝達トルクを発生させると、発生させる側によってはアンダーステア或いはオーバーステアを助長する可能性がある。
【００４４】
そこで、電子制御装置１００は、２ＷＤ_d走行状態から４ＷＤ走行状態への移行に際して、リヤ側クラッチ３２を係合した後に、操舵の状態に基づいて第１カップリング６２及び第２カップリング６４の一方のカップリングのみ或いは両方のカップリングを係合に向けて制御して伝達トルクを発生させ、その後、フロント側クラッチ４４を係合に向けて制御し、その後、前記操舵の状態に基づいて第１カップリング６２及び第２カップリング６４の両方のカップリングに伝達トルクを発生させる。例えば、アクチュエータ出力指示部１０６は、操舵時でないときには、前記通常の４ＷＤ移行制御手順に従って、フロント側クラッチ４４を係合に向けて制御することに先立って、第１カップリング６２及び第２カップリング６４の両方のカップリングを係合に向けて制御する。一方で、アクチュエータ出力指示部１０６は、操舵時には、フロント側クラッチ４４を係合に向けて制御することに先立って、第１カップリング６２及び第２カップリング６４のうちで、操舵に応じた旋回を実現する(又は維持する)側のカップリングのみを係合に向けて制御する。ここでの、操舵に応じた旋回を実現する側のカップリングは、必ずしも実際に操舵に応じた旋回を実現できなくても良く、操舵に応じた旋回となるような側(すなわち操舵に応じた旋回に近づける側、又は操舵に応じた旋回を維持できる側)のカップリングである。この操舵時には、電子制御装置１００は、アンダーステア状態であるか或いはオーバーステア状態であるかを判断し、アクチュエータ出力指示部１０６は、第１カップリング６２及び第２カップリング６４のうちで、その判断されたアンダーステア状態或いはオーバーステア状態を抑制する側のカップリングのみを係合に向けて制御する。この係合に向けて制御する一方のカップリングは、前記判断されたアンダーステア状態或いはオーバーステア状態を抑制する制動力を発生させる方の後輪１６側のカップリングである。又、フロント側クラッチ４４を係合に向けて制御した後に、両方のカップリング６２，６４に発生させる伝達トルクは、操舵角θswに基づく車両旋回目標へ車両挙動を近づけるようにエンジン１２の動力を後輪１６へ伝達する伝達トルクである。尚、操舵時でないときには、前記通常の４ＷＤ移行制御手順に従って、４ＷＤ駆動力演算部１０４により算出された前後輪の駆動力配分となるように、両方のカップリング６２，６４に伝達トルクが発生させられるが、この伝達トルクは、略零近傍とされた操舵角θswに基づく伝達トルクと見ることもできる。
【００４５】
より具体的には、電子制御装置１００は、更に、車両挙動判定手段すなわち車両挙動判定部１０８、必要ヨーモーメント演算手段すなわち必要ヨーモーメント演算部１１０、及び伝達トルク演算手段すなわち伝達トルク演算部１１２を備えている。
【００４６】
車両走行状態判定部１０２は、例えばステアリングホイール９９が操舵された車両１０の操舵時であるか否かを判定する。具体的には、車両走行状態判定部１０２は、操舵角θswの絶対値が所定操舵角θswth2以上であるか否かに基づいて、車両１０の操舵時であるか否かを判定する。前記所定操舵角θswth2は、例えば運転者が車両１０を旋回させるようにステアリングホイール９９を操舵したことを判断する為の予め定められた操舵判定閾値である。又、前記所定操舵角θswth2は、例えば一定値が予め定められても良いし、車速Ｖ等に基づいて変化する値として予め定められても良い。又、前記所定操舵角θswth2は、例えば前記旋回判定閾値θswthと同じ値が用いられても良い。
【００４７】
車両挙動判定部１０８は、例えば車両走行状態判定部１０２により車両１０の操舵時であると判定された場合には、アンダーステア状態及びオーバーステア状態の何れかの車両挙動となっているか否かを判断する。具体的には、車両挙動判定部１０８は、次式(１)に示すような予め定められた演算式から、車速Ｖ、目標スタビリティファクタＫhtgt、ホイールベース長Ｌ、操舵角θsw、ステアリングギヤ比ｎswに基づいて目標ヨーレートＲyawtgtを算出する。車両挙動判定部１０８は、その目標ヨーレートＲyawtgtが零以上のとき(Ｒyawtgt≧０のとき)に、実ヨーレートＲyawに基づいて、次式(２)が成立したときはアンダーステア状態の車両挙動となっていると判定し、次式(３)が成立したときはオーバーステア状態の車両挙動となっていると判定する。一方で、車両挙動判定部１０８は、目標ヨーレートＲyawtgtが零未満のとき(Ｒyawtgt＜０のとき)に、実ヨーレートＲyawに基づいて、次式(２)が成立したときはオーバーステア状態の車両挙動となっていると判定し、次式(３)が成立したときはアンダーステア状態の車両挙動となっていると判定する。前記目標スタビリティファクタＫhtgtは、例えば車速Ｖに応じた車両１０の曲がり易さの目標値であり、車両１０毎に予め定められた適合値である。式(１)中における(θsw/ｎsw)の項は、車輪の切れ角(タイヤ切れ角)の値となる。
Ｒyawtgt＝Ｖ/((1＋Ｋhtgt×Ｖ２)×Ｌ)×(θsw/ｎsw)  …(１)
Ｒyawtgt−Ｒyaw ≧ ０  …(２)
Ｒyawtgt−Ｒyaw ＜ ０  …(３)
【００４８】
必要ヨーモーメント演算部１１０は、車両挙動判定部１０８によりアンダーステア状態及びオーバーステア状態の何れかの車両挙動となっていると判断された場合には、目標ヨーレートＲyawtgtとする為に必要なヨーモーメント量(必要ヨーモーメント量)Ｍreqを算出する。具体的には、必要ヨーモーメント演算部１１０は、例えば次式(４)に示すような予め定められたフィードバック制御式を用いて、実ヨーレートＲyawを目標ヨーレートＲyawtgtと一致させる為のフィードバック制御量である必要ヨーモーメント量Ｍreqを算出する。この式(４)において、ΔＲyawは目標ヨーレートＲyawtgtと実ヨーレートＲyawとのヨーレート偏差(＝Ｒyawtgt−Ｒyaw)、Ｋpは所定の比例係数、Ｋdは所定の微分係数、Ｋiは所定の積分係数である。
Ｍreq＝Ｋp×ΔＲyaw＋Ｋd×(dΔＲyaw/dt)＋Ｋi×(∫ΔＲyawdt)  …(４)
【００４９】
伝達トルク演算部１１２は、車両挙動判定部１０８によりアンダーステア状態及びオーバーステア状態の何れかの車両挙動となっていると判断された場合には、最適な前後輪の駆動力配分としつつ必要ヨーモーメント量Ｍreqを得る為に必要な、第１カップリング６２の伝達トルク(左クラッチトルク)Ｔcl及び第２カップリング６４の伝達トルク(右クラッチトルク)Ｔcrを算出する。具体的には、次式(５)−(７)に示すような予め定められた所定の連立方程式から、最適な前後輪の駆動力配分としつつ必要ヨーモーメント量Ｍreqを得る為に必要な、左後輪１６Ｌの駆動力(左後輪駆動力)Ｆrl及び右後輪１６Ｒの駆動力(右後輪駆動力)Ｆrrを算出する為の、次式(８)，(９)に示すような予め定められた演算式が導出される。伝達トルク演算部１１２は、その式(８)，(９)に示すような演算式から導出された、次式(１０)，(１１)に示すような予め定められた演算式から、車両トータル駆動力Ｆall、動的な前輪接地荷重分担比ｉ、タイヤ動荷重半径ｒt、必要ヨーモーメント演算部１１０により算出された必要ヨーモーメント量Ｍreq、車両１０のトレッド幅(左後輪１６Ｌのタイヤ幅方向中心と右後輪１６Ｒのタイヤ幅方向中心との間の長さ)Ｔrに基づいて、左クラッチトルクＴcl及び右クラッチトルクＴcrを算出する。この式(５)−(７)において、Ｆfは前輪１４Ｌ，１４Ｒのトータル駆動力である。又、伝達トルク演算部１１２は、例えば次式(１２)に示すような予め定められた演算式から、４ＷＤ駆動力演算部１０４により算出された推定エンジントルクＴep、エンジン１４から駆動輪までの動力伝達経路におけるトータルギヤ比ｉtotal、タイヤ動荷重半径ｒtに基づいて、車両トータル駆動力Ｆallを算出する。又、伝達トルク演算部１１２は、例えば次式(１３)に示すような予め定められた演算式から、静的な前輪接地荷重Ｆnf、静的な後輪接地荷重Ｆnr、車両１０の重心高ｈ、ホイールベース長Ｌ、前後加速度Ｇxに基づいて、動的な前輪接地荷重分担比ｉを算出する。
Ｆf＋Ｆrl＋Ｆrr＝Ｆall  …(５)
(Ｆrl−Ｆrr)×(Ｔr/２)＝Ｍreq  …(６)
Ｆf：(Ｆrl＋Ｆrr)＝ｉ：(１−ｉ)  …(７)
Ｆrl＝Ｆall×(１−ｉ)／２＋Ｍreq／Ｔr  …(８)
Ｆrr＝Ｆall×(１−ｉ)／２−Ｍreq／Ｔr  …(９)
Ｔcl＝Ｆrl×ｒt＝Ｆall×(１−ｉ)×ｒt／２＋Ｍreq／Ｔr×ｒt  …(１０)
Ｔcr＝Ｆrr×ｒt＝Ｆall×(１−ｉ)×ｒt／２−Ｍreq／Ｔr×ｒt  …(１１)
Ｆall＝(Ｔep×ｉtotal)／ｒt  …(１２)
ｉ＝(Ｆnf−(ｈ/Ｌ)×Ｇx)／(Ｆnf＋Ｆnr)  …(１３)
【００５０】
アクチュエータ出力指示部１０６は、車両走行状態判定部１０２により４ＷＤ走行状態とするよう判定されたときに、車両走行状態判定部１０２により車両１０の操舵時であると判定され、且つ車両挙動判定部１０８によりアンダーステア状態及びオーバーステア状態の何れかの車両挙動となっていると判断された場合には、リヤ側クラッチ３２を接続する指令をリヤ側アクチュエータ７６に出力した後、上述した通常の４ＷＤ移行制御手順に替えて、上記判断された車両挙動に基づいて第１カップリング６２及び第２カップリング６４の一方のみに伝達トルクを発生させる指令を対応する電磁ソレノイドに出力する。これは、上述した通常の４ＷＤ移行制御手順と同様に第１回転部材４０の回転速度と第２回転部材４２の回転速度との同期を図る為であることに加え、回転停止中のプロペラシャフト２８の回転速度を引き上げることによって、伝達トルクを発生させる側の後輪１６に制動力を作用させる為である。従って、アクチュエータ出力指示部１０６は、上記判断された車両挙動がアンダーステア状態であるときは、第１カップリング６２及び第２カップリング６４のうちで、ステアリングホイール９９の操舵方向に基づく旋回内輪側となるカップリングに伝達トルクを発生させる指令を対応する電磁ソレノイドに出力する。これによって、旋回ヨーモーメントが発生させられて、アンダーステアが抑制される。一方で、アクチュエータ出力指示部１０６は、上記判断された車両挙動がオーバーステア状態であるときは、第１カップリング６２及び第２カップリング６４のうちで、ステアリングホイール９９の操舵方向に基づく旋回外輪側となるカップリングに伝達トルクを発生させる指令を対応する電磁ソレノイドに出力する。これによって、旋回アンチヨーモーメントが発生させられて、オーバーステアが抑制される。尚、カップリングが係合してプロペラシャフト回転速度Ｎpが上がり切ってしまうと、制動力が作用しなくなる。従って、第１カップリング６２及び第２カップリング６４の一方のみに発生させる伝達トルクは、伝達トルク演算部１１２により算出された左クラッチトルクＴcl或いは右クラッチトルクＴcrを用いても良いが、車両挙動に応じて(例えばヨーレート偏差ΔＲyawの大きさに応じて)値を変化させたり、発生速度を変化させることが望ましい。
【００５１】
アクチュエータ出力指示部１０６は、第１カップリング６２及び第２カップリング６４の一方のみに伝達トルクを発生させる指令を対応する電磁ソレノイドに出力した後は、上述した通常の４ＷＤ移行制御手順と同様に、車両走行状態判定部１０２により第１回転部材４０の回転速度と第２回転部材４２の回転速度とが略同期したと判定された後に、フロント側クラッチ４４を接続する指令をフロント側アクチュエータ５６に出力する。その後、アクチュエータ出力指示部１０６は、伝達トルク演算部１１２により算出された左クラッチトルクＴcl及び右クラッチトルクＴcrとなるように、第１カップリング６２及び第２カップリング６４に伝達トルクを発生させる指令を前記各電磁ソレノイドにそれぞれ出力する。この結果、例えば車両挙動がアンダーステア状態であると判断されたときは、前記一方のみに伝達トルクを発生させる指令によって係合された状態にある旋回内輪側となるカップリングが解放に向けて制御され、旋回外輪側となるカップリングが係合に向けて制御される。一方で、例えば車両挙動がオーバーステア状態であると判断されたときは、旋回内輪側となるカップリングが係合に向けて制御される。尚、上述したようなクラッチトルクの調整は、飽く迄も一例であり、最終的に、伝達トルク演算部１１２により算出された左クラッチトルクＴcl及び右クラッチトルクＴcrとなるように、第１カップリング６２及び第２カップリング６４に伝達トルクが発生させられれば良い。
【００５２】
図３は、電子制御装置１００の制御作動の要部すなわち２ＷＤ_d走行状態から４ＷＤ走行状態への移行に際して操舵に応じたヨーモーメントを発生させる(特には、発生しているアンダーステア或いはオーバーステアを適切に抑制する)為の制御作動を説明するフローチャートであり、例えば数ｍｓｅｃ乃至数十ｍｓｅｃ程度の極めて短いサイクルタイムで繰り返し実行される。図４は、図３のフローチャートに示す制御作動を実行した場合のタイムチャートの一例であって、左旋回を行う操舵時にアンダーステアが発生したときを想定したものである。尚、図３のフローチャートは、車両走行状態判定部１０２によって車両１０の走行状態を４ＷＤ走行とするよう判定されたことで、２ＷＤ_d走行状態から４ＷＤ走行状態への移行制御を実行することを前提として開始される。
【００５３】
図３において、先ず、車両走行状態判定部１０２に対応するステップ（以下、ステップを省略する）Ｓ１０において、例えばステアリングホイール９９が操舵された車両１０の操舵時であるか否かが判断される。このＳ１０の判断が肯定される場合(図４のｔ１時点参照)は車両挙動判定部１０８に対応するＳ２０において、例えば車両１０がアンダーステア状態及びオーバーステア状態の何れかの車両挙動となっているか否かが判断される。このＳ２０の判断が肯定される場合(図４のｔ２時点参照)は必要ヨーモーメント演算部１１０に対応するＳ３０において、例えば前記式(４)に示すようなフィードバック制御式からヨーレート偏差ΔＲyawに基づいて必要ヨーモーメント量Ｍreqが算出される。次いで、伝達トルク演算部１１２に対応するＳ４０において、例えば前記式(１０)，(１１)に示すような演算式から前記Ｓ３０にて算出された必要ヨーモーメント量Ｍreq等に基づいて第１カップリング６２における左クラッチトルクＴcl及び第２カップリング６４における右クラッチトルクＴcrが算出される(図４のｔ２時点以降参照)。次いで、アクチュエータ出力指示部１０６に対応するＳ５０において、例えばリヤ側クラッチ３２を接続する指令がリヤ側アクチュエータ７６に出力される。次いで、アクチュエータ出力指示部１０６に対応するＳ６０において、例えば前記Ｓ２０にて判断されたアンダーステア状態及びオーバーステア状態の何れかの車両挙動に基づいて第１カップリング６２及び第２カップリング６４の一方のみに伝達トルクを発生させる指令が対応する電磁ソレノイドに出力される(図４のｔ２時点参照)。次いで、車両走行状態判定部１０２に対応するＳ７０において、例えば第１回転部材４０の回転速度と第２回転部材４２の回転速度との回転速度差の絶対値が同期判定閾値ΔＮth以下となったか否かが判定される。このＳ７０の判断が否定される場合はこのＳ７０が繰り返し実行されるが、このＳ７０の判断が肯定される場合(図４のｔ３時点参照)はアクチュエータ出力指示部１０６に対応するＳ８０において、例えばフロント側クラッチ４４を接続する指令がフロント側アクチュエータ５６に出力される。次いで、アクチュエータ出力指示部１０６に対応するＳ９０において、例えば上記Ｓ４０にて算出された左クラッチトルクＴcl及び右クラッチトルクＴcrとなるように、第１カップリング６２及び第２カップリング６４に伝達トルクを発生させる指令が前記各電磁ソレノイドにそれぞれ出力される。例えば、前記Ｓ２０にて判断されたアンダーステア状態及びオーバーステア状態の何れかの車両挙動に基づいて、クラッチトルク調整指令(第１カップリング６２及び第２カップリング６４の係合状態を切り替える指令)が前記各電磁ソレノイドにそれぞれ出力される(図４のｔ３時点以降参照)。一方で、上記Ｓ１０の判断及び上記Ｓ２０の判断の何れか一方でも否定される場合は４ＷＤ駆動力演算部１０４及びアクチュエータ出力指示部１０６に対応するＳ１００において、例えば前述した通常の４ＷＤ移行制御手順に従って２ＷＤ_d走行状態から４ＷＤ走行状態へ移行する、通常の４ＷＤ移行制御が実行される。
【００５４】
図４において、左旋回を行う操舵時におけるアンダーステア状態であるので、左旋回内輪側となる第１カップリング６２に伝達トルクを発生させる１輪クラッチトルク指令が出力される(ｔ２時点)。これにより、回転停止中のプロペラシャフト２８の回転速度が引き上げられて、第１回転部材４０の回転速度と第２回転部材４２の回転速度との回転速度差(Ｔ／Ｆ−ペラ差回転速度)の絶対値が漸減される。加えて、左後輪１６Ｌに作用させられる制動力により旋回ヨーモーメントが発生させられて、アンダーステアが抑制される。上記Ｔ／Ｆ−ペラ差回転速度が同期判定閾値ΔＮth以下とされると、フロント側クラッチ４４が係合されると共に、第１カップリング６２及び第２カップリング６４の係合状態を切り替えるクラッチトルク調整指令が出力される(ｔ３時点)。これにより、ほぼ完全係合された状態にある第１カップリング６２が解放に向けて制御され、且つ左旋回外輪側となる第２カップリング６４が係合に向けて制御される。そして、必要ヨーモーメント量Ｍreqを得る為に必要な左クラッチトルクＴcl及び右クラッチトルクＴcrとなるように、第１カップリング６２及び第２カップリング６４に伝達トルクが発生させられる。
【００５５】
上述のように、本実施例によれば、２ＷＤ_d走行状態から４ＷＤ走行状態へ移行する際には、先ず、第１カップリング６２及び第２カップリング６４の一方のみ或いは両方が係合に向けて制御されるので、フロント側クラッチ４４におけるプロペラシャフト２８側の回転速度がフロント側クラッチ４４におけるエンジン１２側の回転速度に向けて上昇するように、略回転停止中のプロペラシャフト２８の回転速度を引き上げることができる。従って、フロント側クラッチ４４自身の差回転速度が低減され、フロント側クラッチ４４を速やかに係合することができる。又、特に、操舵時には、第１カップリング６２及び第２カップリング６４の一方のクラッチのみを係合することで、一律に両方のカップリング６２，６４を係合することと比較して、旋回が妨げ難くされる。フロント側クラッチ４４が未だ係合されていない状態で第１カップリング６２及び第２カップリング６４の一方のみが係合に向けて制御されると、停止しているプロペラシャフト２８の回転速度を引き上げることに伴って第１カップリング６２及び第２カップリング６４のうちの係合される側の後輪１６において制動力が作用させられる。これにより、ヨーモーメントを発生させることができる。よって、２ＷＤ_d走行状態から４ＷＤ走行状態への移行に際して、操舵に応じたヨーモーメントを発生させることができる。
【００５６】
また、本実施例によれば、フロント側クラッチ４４の係合後には、操舵の状態に基づいて第１カップリング６２及び第２カップリング６４の両方の伝達トルクが制御されるので、各車輪１４，１６には適切な駆動力が発生させられる。特に、操舵時には、左右の後輪１６Ｌ，１６Ｒの各々において発生させられる各駆動力によってヨーモーメントを発生させることができる。よって、２ＷＤ_d走行状態から４ＷＤ走行状態への移行に際して、操舵に応じたヨーモーメントを発生させることができる。
【００５７】
また、本実施例によれば、フロント側クラッチ４４を係合に向けて制御した後に、第１カップリング６２及び第２カップリング６４の両方に発生させる伝達トルクは、操舵角θswに基づく車両旋回目標へ車両挙動を近づけるようにエンジン１２の動力を後輪１６へ伝達する伝達トルクであるので、フロント側クラッチ４４の係合後には、操舵角θswが略零となる操舵中でないときを含め、各車輪１４，１６に適切な駆動力が発生させられる。又、特に、操舵時には、左右の後輪１６Ｌ，１６Ｒの各々において発生させる各駆動力によって操舵角θswに応じたヨーモーメントを発生させることができる。
【００５８】
また、本実施例によれば、フロント側クラッチ４４は、ドグクラッチである。このようにすれば、第１カップリング６２及び第２カップリング６４の一方のみ或いは両方を係合に向けて制御することで、停止しているプロペラシャフト２８の回転速度を引き上げた後に、フロント側クラッチ４４を係合するという制御手順が有用となる。つまり、上記の制御手順によって、フロント側クラッチ４４における差回転速度が抑制された状態でフロント側クラッチ４４を係合することができる。
【００５９】
また、本実施例によれば、操舵時には、フロント側クラッチ４４を係合に向けて制御することに先立って、第１カップリング６２及び第２カップリング６４のうちで、操舵に応じた旋回を実現する側のカップリングのみを係合に向けて制御するので、操舵時には、旋回が妨げ難くされる。又、一方のカップリングが係合される側の後輪１６において制動力が作用させられて、操舵に応じたヨーモーメントを発生させることができる。
【００６０】
また、本実施例によれば、操舵時には、アンダーステア状態であるか或いはオーバーステア状態であるかを判断し、フロント側クラッチ４４を係合に向けて制御することに先立って、第１カップリング６２及び第２カップリング６４のうちで、前記判断されたアンダーステア状態或いはオーバーステア状態を抑制する側のカップリングのみを係合に向けて制御するので、操舵時には、旋回が妨げ難くされる。又、一方のカップリングが係合される側の後輪１６において制動力が作用させられて、発生しているアンダーステア或いはオーバーステアを抑制するヨーモーメントを発生させることができる。
【００６１】
また、本実施例によれば、操舵時でないときには、フロント側クラッチ４４を係合に向けて制御することに先立って、第１カップリング６２及び第２カップリング６４の両方を係合に向けて制御するので、略回転停止中のプロペラシャフト２８の回転速度を引き上げることができ、フロント側クラッチ４４における差回転速度が抑制された状態でフロント側クラッチ４４を係合することができる。
【００６２】
以上、本発明の実施例を図面に基づいて詳細に説明したが、本発明はその他の態様においても適用される。
【００６３】
例えば、前述の実施例では、アンダーステア状態及びオーバーステア状態の何れかの車両挙動となっているか否かを判断した。このような車両挙動は、必ずしも車両旋回中のときであるとは限らない。例えば、ステアリングホイール９９が操舵されて操舵角θswが零でなくても、アンダーステアの発生によって、車両１０が旋回中と判断されないような略直進状態とされている場合もある。従って、第１カップリング６２及び第２カップリング６４の一方のみを係合に向けて制御するという実施態様を実行する条件としては、車両１０の操舵時であれば良く、車両１０が旋回中であることは必ずしも必要ではない。又、操舵時にアンダーステア状態及びオーバーステア状態の何れかの車両挙動となっていなくても、前記通常の４ＷＤ移行制御手順に替えて、一方のカップリングのみを係合に向けて制御するという実施態様を実行しても良い。この場合、図３のフローチャートにおけるＳ２０は必ずしも必要でない。
【００６４】
また、前述の実施例で示したように、車両１０では、リヤ側クラッチ３２が係合されていても、フロント側クラッチ４４と第１カップリング６２及び第２カップリング６４とが解放されていれば、前記ディスコネクト状態と同様の状態を作り出すことができる。従って、車両１０は、リヤ側クラッチ３２を備えなくても、２ＷＤ_d走行状態を作り出すことができる。つまり、第１カップリング６２及び第２カップリング６４は、前記ディスコネクト機構として機能させられる。よって、リヤ側クラッチ３２を備えていない車両１０であっても、本発明は適用され得る。ところで、リヤ側クラッチ３２を備えていない車両１０では、２ＷＤ_d走行状態において、第１カップリング６２及び第２カップリング６４が解放された状態であってもカップリングを構成する湿式多板クラッチの引き摺りが生じる為に、所定の回転要素を完全に回転停止させることができない可能性がある。前記ディスコネクト機構は、所定の回転要素を回転停止させる機構であることが望ましいが、上述したような引き摺り等に因って回転が多少発生した状態としてしまう機構も含んでいる。尚、リヤ側クラッチ３２を備えることは、このような引き摺り等に因る回転を防止するということでは、有用である。
【００６５】
また、前述の実施例では、第１カップリング６２及び第２カップリング６４は、電子制御カップリングであったが、これに限らない。例えば、第１カップリング６２及び第２カップリング６４は、公知の油圧式摩擦係合装置であっても良い。
【００６６】
また、前述の実施例では、リヤ側クラッチ３２及びフロント側クラッチ４４は、電磁ドグクラッチであったが、これに限らない。例えば、リヤ側クラッチ３２及びフロント側クラッチ４４は、スリーブを軸方向に移動させるシフトフォークを備え、電気制御可能な或いは油圧制御可能なアクチュエータによって、そのシフトフォークが駆動される形式のドグクラッチであっても良い。又、リヤ側クラッチ３２及びフロント側クラッチ４４は、ドグクラッチであったが、これに限らない。リヤ側クラッチ３２及びフロント側クラッチ４４は、回転要素間を断接する構成であれば適宜適用することができる。
【００６７】
また、前述の実施例では、車両１０は、前輪１４に常時動力が伝達され、後輪１６が副駆動輪となる構造となっているが、これに限らない。例えば、車両１０は、後輪１６に常時動力が伝達され、前輪１４が副駆動輪となる構造であっても構わない。例えば、車両１０は、ＦＲベースの四輪駆動車両であっても良い。
【００６８】
また、前述の実施例では、必要ヨーモーメント演算部１１０は、例えば前記式(４)に示すようなフィードバック制御式を用いて必要ヨーモーメント量Ｍreqを算出したが、これに限らない。例えば、フィードバック制御に替えて、フィードフォワード制御によって、ヨーレート偏差ΔＲyawに基づく予め定められた必要ヨーモーメント量Ｍreqを算出しても良い。このような場合には、結果的に、フロント側クラッチ４４を係合に向けて制御した後に、第１カップリング６２及び第２カップリング６４の両方に発生させる伝達トルクは、操舵角θswに基づく予め定められた伝達トルクとなる。このようにしても、操舵角θswが略零となる操舵中でないときを含め、各車輪１４，１６に適切な駆動力が発生させられる。又、特に、操舵時には、左右の後輪１６Ｌ，１６Ｒの各々において発生させる各駆動力によって操舵角θswに応じたヨーモーメントを発生させることができる。尚、フィードバック制御とフィードフォワード制御とを組み合わせることも可能である。
【００６９】
また、前述の実施例における図３のフローチャートは、２ＷＤ_d走行状態から４ＷＤ走行状態への移行制御を実行することを前提として開始されたが、これに限らない。例えば、図３のフローチャートにおけるＳ１０及びＳ２０が共に肯定されたことを条件として２ＷＤ_d走行状態から４ＷＤ走行状態への移行を判断し、この条件で判断されたときの４ＷＤ走行状態への移行の際に、Ｓ３０−Ｓ９０が実行されるような態様であっても良い。このような場合には、Ｓ１００は必ずしも必要でない。
【００７０】
また、前述の実施例における図３のフローチャートにおいて、上述したようにＳ２０やＳ１００は必ずしも必要でなかったり、又はＳ９０の実行前までにＳ４０の実行が完了しておれば良いなど、各ステップの実行順等は差し支えのない範囲で適宜変更することができる。
【００７１】
尚、上述したのはあくまでも一実施形態であり、本発明は当業者の知識に基づいて種々の変更、改良を加えた態様で実施することができる。
【符号の説明】
【００７２】
１０：四輪駆動車両
１２：エンジン(駆動力源)
１４(１４Ｌ，１４Ｒ)：前輪(主駆動輪)
１６(１６Ｌ，１６Ｒ)：後輪(副駆動輪)
２０：フロントデフ(回転部材)
２４：トランスファ
２８：プロペラシャフト(駆動力伝達軸)
４４：フロント側クラッチ(断接機構)
６２：第１カップリング(第１のクラッチ)
６４：第２カップリング(第２のクラッチ)
１００：電子制御装置(制御装置)
【図１】
0005904185.tif 000002
【図２】
0005904185.tif 000003
【図３】
0005904185.tif 000004
【図４】
0005904185.tif 000005